(57)【要約】【課題】携帯情報端末によるスライドショーのようなプレゼンテーション用画像表示操作に音楽用のリモコンを使用することで直感的で簡便な操作を提供する。【解決手段】プレゼンテーション用画像表示機能と、画像を外部表示装置に表示する機能と、外部表示装置に接続された状態で該プレゼンテーション用画像データを該外部表示装置に表示する機能と、音楽再生機能と、リモコン付きヘッドフォン接続機能と、リモコン付きヘッドフォン接続検知機能と、該リモコンにより、音楽再生の制御を行う機能と、を有する携帯情報端末装置において、プレゼンテーション用の操作を行うときに音楽用のリモコンを使用する。【選択図】        図１
2004310258.tif 000002
【特許請求の範囲】
【請求項１】
プレゼンテーション用画像表示機能と、
画像を外部表示装置に表示する機能と、
外部表示装置に接続された状態で該プレゼンテーション用画像データを該外部表示装置に表示する機能と、
音楽再生機能と、
リモコン付きヘッドフォン接続機能と
リモコン付きヘッドフォン接続検知機能と
該リモコンにより、音楽再生の制御を行う機能と
を有する携帯情報端末装置において、プレゼンテーション用の操作を行うときに音楽用のリモコンを使用することを特徴とする携帯情報端末装置。
【請求項２】
前記携帯情報端末において、プレゼンテーション用の操作を行う時にリモコンが接続されてない場合には、プレゼンテーション操作のためのボタン表示を行い、リモコンが接続されていた場合には、プレゼンテーション操作のためのボタン表示を行わないことを特徴とする請求項１記載の携帯情報端末装置。
【請求項３】
前記携帯情報端末において、プレゼンテーション中にリモコンが抜かれた場合には、プレゼンテーション操作のためのボタンを表示し、プレゼンテーション中にリモコンが接続された場合には、プレゼンテーション操作のためのボタン表示を消去することを特徴とする請求項１記載の携帯情報端末装置。
【発明の詳細な説明】
【０００１】
【発明の属する技術分野】
本発明は、携帯情報端末装置に関するものである。
【０００２】
【従来の技術】
従来、携帯情報端末によるスライドショーのようなプレゼンテーション用画像表示は端末装置の画面の表示をそのまま外部表示装置に表示し、オペレーションは特定のハードキーを割り付けて操作させるものが多い。一方、操作に関しては、操作用のボタンを画面に表示してタッチパネルにより操作させる、もしくは汎用のハードキーを操作用に割り当てて、それぞれのキーの役割を画面表示させるようになっている。
【０００３】
【発明が解決しようとする課題】
しかしながら、プレゼンテーション画像表示のため、端末装置の表示画面に操作用のボタンを設けると、プレゼンテーションに関係ない画像が外部表示装置に表示されてしまうという問題がある。表示画面の操作用のボタンを設けない場合でも、機器上のキーをプレゼンテーション操作用のキーとして割り当てるので、操作が直感的でなく、わかりにくい。また、専用のリモコンを用いる場合、専用のインターフェイス機構やリモコンを用意しなくてはならないため、大きなコストがかかる上、インターフェイス機構の実装のために機器の容積が大きくなり、携帯性を大きく損ねるという問題がある。
【０００４】
本発明によれば、プレゼンテーション用の操作を行うときに音楽用のリモコンを使用することによって、携帯情報端末機器上にキーを設けることなく直感的でわかりやすい操作環境を提供することができるようにしたものである。
【０００５】
【課題を解決するための手段】
以上、本発明を整理して要約すれば以下の構成に集約できる。
【０００６】
（１）プレゼンテーション用画像表示機能と、
画像を外部表示装置に表示する機能と、
外部表示装置に接続された状態で該プレゼンテーション用画像データを該外部表示装置に表示する機能と、
音楽再生機能と、
リモコン付きヘッドフォン接続機能と
リモコン付きヘッドフォン接続検知機能と
該リモコンにより、音楽再生の制御を行う機能と
を有する携帯情報端末装置において、プレゼンテーション用の操作を行うときに音楽用のリモコンを使用することを特徴とする携帯情報端末装置。
【０００７】
（２）前記携帯情報端末において、プレゼンテーション用の操作を行う時にリモコンが接続されてない場合には、プレゼンテーション操作のためのボタン表示を行い、リモコンが接続されていた場合には、プレゼンテーション操作のためのボタン表示を行わないことを特徴とする前記（１）記載の携帯情報端末装置。
【０００８】
（３）前記携帯情報端末において、プレゼンテーション中にリモコンが抜かれた場合には、プレゼンテーション操作のためのボタンを表示し、プレゼンテーション中にリモコンが接続された場合には、プレゼンテーション操作のためのボタン表示を消去することを特徴とする前記（１）記載の携帯情報端末装置。
【０００９】
【発明の実施の形態】
（実施例）
図１は本発明の実施例の１形態を表すブロック図である。
【００１０】
１０１は全体の制御を行うＣＰＵ、１０２は動画像、および静止画像を撮影するカメラ、１０３はカメラ１０２を制御するカメラ制御部、１０４は画像の表示、や操作のための表示を行う表示部、１０５は表示部１０４の制御を行う表示制御部、１０６はユーザが操作を行う操作部でボタンやキー、ペン入力のためのデジタイザを含む。
【００１１】
１０７は静止画像、動画像、音声、音楽の符号化、復号化を行う符号化／復号化部で、このうち１つまたは複数が１１３プログラムメモリに格納されるソフトウェアによって実装されていても良い。
【００１２】
１０８は音声を取り込むマイク、１０９は音の入出力を制御する音声制御部で、ヘッドフォン接続検知機能およびリモコン制御機能を備えている。
【００１３】
１１０は音声やキータッチ音などの音声を出力するスピーカ、１１１はヘッドフォンに構成されている、音楽再生時の操作に使用するリモコン、１１２は音声やキータッチ音などの音声を出力するヘッドフォン、１１３はプログラムを格納するプログラムメモリ、１１４はデータを格納するデータメモリで、Ｆｌａｓｈメモリ、ＳＲＡＭ、ＤＲＡＭなどで構成されている。
【００１４】
１１５は静止画像や動画像を格納する外部記憶装置で、半導体による記憶装置で構成されていてもよい。
【００１５】
１１６は外部記憶装置１１５を制御する外部記憶制御部、１１７は通信制御部で、有線、あるいは無線によって外部機器やネットワークとの通信を行う。
【００１６】
１１８は外部表示装置接続部で、外部表示装置の表示方式に合わせた表示データの信号の生成を行う。
【００１７】
１１９は各部を接続するバスである。
【００１８】
図２は本発明の実施例の１形態を表す構成図である。携帯情報端末２０１には外部表示装置２０２、および音楽用リモコン２０３が接続されている。
【００１９】
音楽用リモコン２０３には、音楽聴取時の制御用のキーである再生キー２０４、一時停止キー２０５、停止キー２０６、１トラック戻りキー２０７、巻き戻しキー２０８、はや送りキー２０９、１トラック送りキー２１０が配置されている。また、リモコン２０３には動作状態、トラック番号、曲名、アーティスト名などの各種情報を表示する表示部２１１が具備されている。
【００２０】
図３および図４は本発明の実施例における携帯情報端末装置の画面表示例である。
【００２１】
図３は全画面表示状態で、画面内の情報がすべて外部表示装置接続部を経由して外部表示装置に表示されている。従来の実施形ではこのように表示を行い、操作用のキー、あるいはボタンを携帯情報端末上のハードキーに割り当ててオペレーションを実現している。この場合、表示画面のすべてを使用して画面表示するので、視認性に優れている。また、表示している画像に一時的に書き込みを行うようなプレゼンテーションを行う場合など、表示画像が大きいことが操作性の向上につながる。
【００２２】
操作性改善のためにタッチパネル上にボタンを割り当てた状態をあらわしているのが図４である。画面上に表示されているボタンに触れることでオペレーションを実現するので表示画面を見ながら操作することが可能になるので操作性が著しく向上する。この状態では、ハードキーを設ける必要がないためにコストダウンが実現でき、かつ実装面積を減少することができる。
【００２３】
本実施例では、音楽用のリモコンを本体ハードキーの代わりに使用することで図３のような視認性と図４のような操作性を提供する。また、リモコンの挿抜により、図３の状態と図４の状態を動的に切り替えることにより、操作中に誤ってリモコンが抜かれたなどの不慮の事態にも、継続して優れた操作性を提供する。
【００２４】
図５、および図６は本発明の実施例のシーケンス・フローの１例である。図５は操作中のリモコンが抜かれた場合、図６は操作中にリモコンが挿入された場合のシーケンス・フローである。
【００２５】
本シーケンスはプログラムメモリ１１３に格納されており、ＣＰＵ１０１によって実行される。リモコン２０３は、携帯情報端末装置２０１に接続されているかどうかを判別する手段が設けられており、該当するポートの読み出しで接続されているかどうかが判別でき、かつ該ポートの状態変化は割り込み要因に接続されている。割り込み要因でなくとも、既定時間毎に該ポートをポーリングする構成でもよい。
【００２６】
リモコンが接続されている状態でプレゼンテーション操作を行っているときに、前記割り込み要因より割り込みがＣＰＵ１０１にはいると図５のシーケンスを開始する。
【００２７】
まず、前記ポートを読み出す（Ｓ５０１）。Ｓ５０１のポート読み出しは、機械的動作が安定することを考慮して既定時間間隔で複数回読み出すようにしてもよい。次に、Ｓ５０１で読み出したポートのデータに基づいてリモコンが接続されているかどうかを判断する（Ｓ５０２）。Ｓ５０２で、リモコンが接続されていると判断された場合はリモコンの接続状態には変化がなかったと判断できるので、本シーケンスを終了する。
【００２８】
Ｓ５０２で、リモコンがないと判断された場合には、リモコンと通信中であるかどうかを判断する（Ｓ５０３）。通信とは、リモコン上のキーが押下された場合のキー情報の取得やＬＣＤに表示する表示データの送信などを指す。Ｓ５０３で、リモコンと通信中であると判断された場合には通信の中断処理を行う（Ｓ５０４）。通信の中断処理は、明示的に中断処理を行ってもよいし、リモコンからの応答待ち時間タイムアウトでもよい。Ｓ５０４で通信中断処理を行った後、あるいはＳ５０３で通信中でないと判断された場合、外部表示データの更新停止処理を行う（Ｓ５０５）。外部表示データとは、外部表示装置接続部１１８によって外部表示装置に送信するデータをデータメモリ１１４に格納されているものである。該データは、携帯情報端末装置２０１の表示画面に表示されているデータをもとに作成するので、リモコンが抜かれた場合に携帯情報端末装置２０１の表示画面を描画しなおす間に描画途中の状態が外部表示装置に表示されないようにするために外部表示データの更新を停止する。
【００２９】
次に、リモコンが抜けた旨をダイアログで表示して操作者にリモコンが抜けたことを通知する（Ｓ５０６）。ダイアログは一定時間経過後に自動的に消去してもよいし、操作者が消去するようにしてもよい。次に、携帯情報端末装置の表示画面に表示されているプレゼンテーション画像を縮小して表示し（Ｓ５０７）、操作用のボタンを作成して表示する（Ｓ５０８）。ここまでの動作で、端末上の表示は図３の状態から図４の状態に切り替わったことになる。
【００３０】
次に、外部表示装置に表示をするデータを作成する（Ｓ５０９）。このとき、作成するデータのもとになるのは、もちろん縮小表示されているプレゼンテーション画像の表示エリアである。そしてＳ５１０で外部表示データの更新を再開し、本シーケンスを終了する。
【００３１】
リモコンが接続されていない状態でプレゼンテーション操作を行っているときに、前記割り込み要因より割り込みがＣＰＵ１０１にはいると図６のシーケンスを開始する。
【００３２】
まず、前記ポートを読み出す（Ｓ６０１）。Ｓ６０１のポート読み出しは、機械的動作が安定することを考慮して既定時間間隔で複数回読み出すようにしてもよい。次に、Ｓ６０１で読み出したポートのデータに基づいてリモコンが接続されているかどうかを判断する（Ｓ６０２）。Ｓ６０２で、リモコンが接続されていないと判断された場合はリモコンの接続状態には変化がなかったと判断できるので、本シーケンスを終了する。Ｓ６０２で、リモコンが接続されたと判断された場合には、外部表示データの更新停止処理を行う（Ｓ６０３）。外部表示データとは、外部表示装置接続部１１８によって外部表示装置に送信するデータをデータメモリ１１４に格納されているものである。
【００３３】
該データは、携帯情報端末装置２０１の表示画面に表示されているデータをもとに作成するので、リモコンが接続された場合に携帯情報端末装置２０１の表示画面を描画しなおす間に描画途中の状態が外部表示装置に表示されないようにするために外部表示データの更新を停止する。次に、リモコンが接続された旨をダイアログで表示して操作者にリモコンが接続されたことを通知する（Ｓ６０４）。ダイアログは一定時間経過後に自動的に消去してもよいし、操作者が消去するようにしてもよい。
【００３４】
次に、操作用のボタンを消去し（Ｓ６０５）、携帯情報端末装置の表示画面に表示されているプレゼンテーション画像を全画面表示する（Ｓ６０６）。ここまでの動作で、端末上の表示は図４の状態から図３の状態に切り替わったことになる。
【００３５】
次に、外部表示装置に表示をするデータを作成する（Ｓ６０７）。このとき、作成するデータのもとになるのは、もちろん縮小表示されているプレゼンテーション画像の表示エリアである。そしてＳ６０８で外部表示データの更新を再開し、本シーケンスを終了する。
【００３６】
【発明の効果】
本発明によれば、プレゼンテーション用の操作を行うときに音楽用のリモコンを使用することによって、携帯情報端末機器上にキーを設けることなく直感的でわかりやすい操作環境を提供することができるようにしたものである。また、専用のリモコンを用いないので、専用のインターフェイス機構やリモコンが不要となり、コストを低減することができる。さらに、もともと実装されている部品の機能を流用するので機器の容積や実装を変更することなく実現が可能である。
【図面の簡単な説明】
【図１】本発明の実施例の１形態を表すブロック図
【図２】本発明の実施例の１例をあらわす構成図
【図３】本発明の実施例の１例を表す情報携帯端末装置の画面表示を示す図
【図４】本発明の実施例の１例を表す情報携帯端末装置の画面表示を示す図
【図５】本発明の実施例の１例を表すシーケンス・フローを示す図
【図６】本発明の実施例の１例を表すシーケンス・フローを示す図
【符号の説明】
１０１  ＣＰＵ
１０２  カメラ
１０３  カメラ制御部
１０４  表示部
１０５  表示制御部
１０６  操作部
１０７  符号化／復号化部
１０８  マイク
１０９  音声制御部
１１０  スピーカ
１１１  リモコン
１１２  ヘッドフォン
１１３  プログラムメモリ
１１４  データメモリ
１１５  外部記憶装置
１１６  外部記憶制御部
１１７  通信制御部
１１８  外部表示装置接続部
１１９  バス
【図１】
2004310258.tif 000003
【図２】
2004310258.tif 000004
【図３】
2004310258.tif 000005
【図４】
2004310258.tif 000006
【図５】
2004310258.tif 000007
【図６】
2004310258.tif 000008